(57)【特許請求の範囲】
【請求項１】
本体と、前記本体に回転自在に回動軸により支承され、開位置と閉位置との間を回動自在なカバー部材とを含み、
前記カバー部材が前記閉位置に回動したときに、前記本体と前記カバー部材との間には外部よりカートリッジの挿入を許容する開口が形成されるようになっており、
前記カバー部材は、前記開位置へと回動する際に、前記本体と前記カバー部材との間に挿入されたカートリッジを保持し、一体的に回動させるカートリッジ保持部を左右両側に形成し、
前記カバー部材が前記開位置・前記閉位置のいずれであっても前記カートリッジを挿入可能であるカートリッジ用収納ケースであって、
前記カバー部材の前記回動軸側の端部近傍に前記カートリッジの厚さよりも高いリブ部を設け、前記リブ部は、前記カバー部材の回動とともに、前記カートリッジが挿入される前記本体と前記カバー部材との間の空間で回動することを特徴とするカートリッジ用収納ケース。
【請求項２】
前記カバー部材は、前記カートリッジが挿入されたときに前記カートリッジの凹部と係合する凸部と、前記凹部と係合した前記凸部に弾性力を付与することにより前記カートリッジの抜け防止を図る付勢部材とを備え、
前記カートリッジが挿入されて前記凹部に前記カバー部材の凸部が係合したとき前記リブ部が前記カートリッジの挿入側の側面に近接するように前記リブ部を配置した請求項１記載のカートリッジ用収納ケース。
【請求項３】
前記本体は、平面部と背表紙部とを有するＬ字状のインデックスカードを収納可能な底部と、前記回動軸側に設けられた側壁とを備え、
前記カバー部材が前記閉位置へ回動するとき前記リブ部が前記底部上の前記インデックスカードの前記背表紙部を前記側壁に向けて誘導するように構成された請求項１または２記載のカートリッジ用収納ケース。
【請求項４】
前記カバー部材が前記閉位置にあるとき前記リブ部が前記本体の前記底部に収納された前記インデックスカードの前記平面部を押さえるように構成された請求項３記載のカートリッジ用収納ケース。
【請求項５】
前記リブ部が前記回動軸側の前記端部近傍の一部に設けられた請求項１，２，３または４記載のカートリッジ用収納ケース。
【発明の詳細な説明】
【０００１】
【発明の属する技術分野】
本発明は、カートリッジ用の収納ケースに関し、特に光ディスクや光磁気ディスク等の記録媒体を収納したカートリッジ用の収納ケースに関する。
【０００２】
【従来の技術】
近年において、音楽録音やデータストレージ等の用途に用いられようになったミニディスクは、記録媒体であるディスク部を樹脂製のカートリッジ内に格納している。図１２及び図１３は、かかるミニディスクＭの一例を示す図であり、図１２はその上面図、図１３はその下面図である。円盤状のディスク部Ｄは、薄いボックス状のカートリッジＣにより保護されている。また、ミニディスクＭは、記録・再生装置の受け入れスロット（不図示）に対する挿入方向が定まっており、かかる挿入方向は、図１２においては上方であり、図１３においては下方である。図１３中、カートリッジＣの下端近傍に形成された凹部Ｃ１，Ｃ２に、記録・再生装置の爪部（不図示）が係合して、ミニディスクＭを装置内部へと搬送するようになっている。
【０００３】
ところで、ミニディスクＭに音楽や情報を記録した場合、記録した曲名や内容を記載したインデックスカードをミニディスクＭに付帯させることが一般的に行われている。そのようにして記載されたインデックスカードは、ミニディスクＭと共に保存される。
【０００４】
しかしながら、ミニディスクＭは収納ケースに収納されて保存されることが多いため、カートリッジＣにインデックスカードが貼り付けられると、収納ケースに対して出し入れされる際にその記載部分が擦れ、あるいは汚れてしまい、長期間の使用によりその記載が不明瞭となる恐れがある。又、記録・再生装置にミニディスクＭを挿入したときに、カートリッジＣからインデックスカードが剥がれて、記録・再生装置の機能を損なう恐れもある。そこで、一般的にインデックスカードは、ミニディスクＭが収納される収納ケースに付帯するようにしている。
【０００５】
上述したごとくインデックスカード（ラベル）を付帯する収納ケースは、たとえば特開平５−２７８７７２号、及び特開平９−２２６８７３号に開示されている。しかしながら、かかる従来技術の収納ケースにおいては、以下に述べるような問題がある。
【０００６】
まず、特開平５−２７８７７２号に開示された収納ケースはスリーブ状であるため、その内部の適切な位置にインデックスカードを配置することは困難である。従って、かかるスリーブ状の収納ケースにおいては、収納ケース表面にインデックスラベルを貼り付け、そこに曲名や情報を記載するようにしている。ところが、このように収納ケース表面にインデックスラベルを貼り付けると、同様に記載部分の擦れ、汚れが生じる恐れがある。加えて、このようなミニディスクの販売時には、インデックスカードやラベルは、収納ケースやミニディスク自体に未だ貼り付けられておらず、その接着面を覆った状態でコの字状に折り曲げられて、ミニディスクが収納された収納ケースの開口をふさぐようにしてセットされ、その上から包装フィルムでラッピングされることにより、収納ケースとの分離が防止されている。従って、かかるミニディスクを購入したユーザーが、包装フィルムを一旦破ってしまうと、インデックスカードやラベルは、収納ケースやミニディスクと分離してしまうので、そこに予め貼り付けておかない限り、その保管に不便であり、また紛失の恐れも大きいといえる。
【０００７】
一方、特開平９−２２６８７３号に開示された収納ケースは、収納ケース内部にインデックスカードを収納できるよう、蓋体を本体に対して回動可能に構成しているので、上述のような問題は生じない。しかしながら、かかる従来技術の構成は、ミニディスクを収納ケース内に収納した状態では蓋体が開かないようになっており、かかる状態ではインデックスカードを取り出すことができず、無理に取り出そうとすると収納ケースを破損する恐れがある。従って、インデックスカードを収納ケースから取り出すために、いちいちミニディスクを引き出さねばならず、取り扱いに不便である。
【０００８】
上述のような問題点を解決するために、本発明者らは、先に特願平１０−３３５７０号において、本体と開位置と閉位置との間を回動自在なカバー部材とを備え、本体とカバー部材との間の開口からカートリッジを挿入できるように構成し、カバー部材が開位置へと回動する際に本体とカバー部材との間に挿入されたカートリッジを保持しながら一体的に回動させるカートリッジ保持部を左右両側に形成したカートリッジ用収納ケースを提案した。このカートリッジ用収納ケースによれば、本体とカバー部材との間に挿入されたカートリッジは、カバー部材と一体的に回動するカートリッジ保持部により保持されているので、カバー部材を回動させることにより、収納ケース内に収納されたカートリッジも回動する。このため、カートリッジと本体との間にインデックスカードが配置されていたとしても、カートリッジを抜き出すことなくインデックスカードの取り出しが可能となる。
【０００９】
上述のようなカートリッジ収納ケースにおいて、図１４に示すように、本体３００に対しカバー部材２００が方向ｒに回動するので（閉めるときは方向ｒと逆方向に回動する）、本体３００の奥壁３４０の回動軸ａａ側の端部とカバー部材２００の上壁２１０の端部との間にクリアランスｃｃを設ける必要がある。ところが、このクリアランスｃｃのため、収納ケースから図の破線で示すカートリッジＭを取り出す場合や収納する場合等にカバー部材２００の上壁２１０と本体３００の底壁３１０とを強く押さえること等により、カバー部材２００や本体３００が撓んでしまい、カートリッジと接触し、カートリッジや収納ケースが傷ついてしまうおそれがある。なお、インデックスカードＩＤが入っている場合には本体３００側ではかかる問題は生じないが、カバー部材２００側で例えば上壁２１０が図の２点鎖線のように撓んでカートリッジＭと接触してしまう。また、図１４のクリアランスｃｃを小さくしていくと上述の撓みは少なくなるものの、成形条件によって成形後にそりが発生したり、使用環境によって温度や荷重が加えられて変形したり等すると、カバー部材２００の回動に支障が生じてしまい易い。
【００１０】
また、インデックスカードＩＤの細長い背表紙部ＩＤａがＬ字状に直角に折り曲げられていないと、図１４のように奥壁３４０の内面側に密着しないため、外部から背表紙部ＩＤａに表示した文字情報を読み取り難くなる、といった問題が生じ易い。
【００１１】
【発明が解決しようとする課題】
本発明の目的は、かかる従来技術の問題点に鑑み、インデックスカードを取り出しやすくかつその保持が確実で、カートリッジの出し入れ等の取り扱いに優れた収納ケースを実現する際に、外部から力が加わってもカートリッジや収納ケースに傷が付いてしまうことを防止できるとともにカバー部材の回動に支障が生じないカートリッジ用収納ケースを提供することである。また、インデックスカードの装着が容易であり、インデックスカードの視認性を改善したカートリッジ用収納ケースを提供することである。
【００１２】
【課題を解決するための手段】
上述の目的を達成すべく、本発明のカートリッジ用収納ケースは、本体と、前記本体に回転自在に回動軸により支承され、開位置と閉位置との間を回動自在なカバー部材とを含み、前記カバー部材が前記閉位置に回動したときに、前記本体と前記カバー部材との間には外部よりカートリッジの挿入を許容する開口が形成されるようになっており、前記カバー部材は、前記開位置へと回動する際に、前記本体と前記カバー部材との間に挿入されたカートリッジを保持し、一体的に回動させるカートリッジ保持部を左右両側に形成し、前記カバー部材が前記開位置・前記閉位置のいずれであっても前記カートリッジを挿入可能であるカートリッジ用収納ケースであって、前記カバー部材の前記回動軸側の端部近傍に前記カートリッジの厚さよりも高いリブ部を設け、前記リブ部は、前記カバー部材の回動とともに、前記カートリッジが挿入される前記本体と前記カバー部材との間の空間で回動することを特徴とする。
【００１３】
本発明のカートリッジ用収納ケースによれば、本体とカバー部材との間に挿入されたカートリッジは、カバー部材と一体的に回動するカートリッジ保持部により保持されているので、カバー部材を回動させることにより、収納ケース内に収納されたカートリッジも回動するから、例えばカートリッジと本体との間にインデックスカードが配置されていたとしても、カートリッジを抜き出すことなくインデックスカードの取り出しが可能となるとともに、カバー部材の回動軸側の端部近傍に設けたリブ部がカートリッジの厚さよりも高いので、カバー部材が閉位置であるとき回動軸側においてカバー部材と本体とを強く押さえてもカバー部材のリブ部が先に本体側と当接する。このため、カバー部材と本体とが殆ど変形せず、カートリッジに接触しないので、カートリッジや収納ケースに傷が付いてしまうことを防止できる。
【００１４】
また、前記カバー部材は、前記カートリッジが挿入されたときに前記カートリッジの凹部と係合する凸部と、前記凹部と係合した前記凸部に弾性力を付与することにより前記カートリッジの抜け防止を図る付勢部材とを備え、前記カートリッジが挿入されて前記凹部に前記カバー部材の凸部が係合したとき前記リブ部が前記カートリッジの挿入側の側面に近接するように前記リブ部を配置するように構成できる。この構成によれば、カートリッジの凹部とカバー部材の凸部とが係合し付勢部材によりカートリッジを確実に保持するとともに、この係合時にカートリッジの側面がリブ部に近接するために収納中のカートリッジのがたつき等を抑え、カートリッジを更に確実に保持できる。
【００１５】
また、前記本体は、平面部と背表紙部とを有するＬ字状のインデックスカードを収納可能な底部と、前記回動軸側に設けられた側壁とを備え、前記カバー部材が前記閉位置へ回動するとき前記リブ部が前記底部上の前記インデックスカードの前記背表紙部を前記側壁に向けて誘導するように構成できる。この構成によれば、インデックスカードが本体に完全に収納されていなくても、カバー部材の閉位置への回動動作に伴いリブ部がインデックスカードの背表紙部を側壁に向け押すので、インデックスカードを自動的に確実に収納することができインデックスカードの装着が容易となる。この場合、上述のようにリブ部がカートリッジの側面に近接する構成であると、カバー部材が閉位置にあるときリブ部と本体の側壁との間の隙間が狭くなり、この狭い隙間にインデックスカードの背表紙部が位置するから、インデックスカードの背表紙部が直立するように折り曲げられていないような場合でも本体の側壁に密着する。このため、インデックスカードの背表紙部の表示情報が読み易くなるので、インデックスカードの視認性を改善することができる。
【００１６】
また、前記カバー部材が前記閉位置にあるとき前記リブ部が前記本体の前記底部に収納された前記インデックスカードの前記平面部を押さえるように構成できる。この構成によれば、例えばリブ部を平面部と当接するような高さとすることにより、リブ部がインデックスカードの平面部を本体の底部に対し押さえるので、本体においてインデックスカードの浮き上がりやずれを確実に防止できる。
【００１７】
また、前記リブ部を前記回動軸側の前記端部近傍の一部に設けることができる。リブ部はカバー部材のカートリッジ保持部が設けられた一端から他端まで延びて設ける必要はなく、その間に部分的に設けてよく、また断続的に設けてもよい。
【００１８】
【発明の実施の形態】
以下、本発明による実施の形態を、図面を参照して説明する。
図１及び２は、ミニディスクを収納可能な本実施の形態にかかる収納ケースを示す斜視図であり、図１はカバー部材を閉めた状態（すなわち、カバー部材が閉位置にある状態）を示し、図２はカバー部材を開けた状態（すなわち、カバー部材が開位置にある状態）を示す図である。
【００１９】
図１，２において、薄いボックス状の収納ケース１０は、カバー部材２０と、かかるカバー部材２０と別部品である本体３０とからなる。図１に示すように収納ケース１０は、カバー部材２０を閉めた状態でも、ミニディスクＭ（図１２，図１３）を出し入れ可能な開口ＯＰを、その前面に形成している。尚、本体３０及びカバー部材２０は、ポリカーボネート、ポリスチレン、アクリル、ＡＳ樹脂など透明性を有する樹脂から形成されると好ましい。
【００２０】
図３（ａ）はカバー部材２０のみを示す斜視図であり、図３（ｂ）は図３（ａ）のＩＩＩＢ−ＩＩＩＢ線で切断して矢印方向に見た断面図であり、図４（ａ）は本体３０のみを示す斜視図であり、図４（ｂ）は図４（ａ）のＩＶＢ−ＩＶＢ線で切断した状態で見た斜視図であり、図５はカバー部材２０を裏返しにしてその下面を見た斜視図である。図４（ａ）を参照して、まず本体３０から説明する。本体３０は、矩形状の底壁３１と、底壁３１の一辺に結合した左側側壁３２と、それに対向する一辺に結合した右側側壁３３と、更に底壁３１の一辺に結合し両側壁３２，３３に直交する奥壁（回動軸側の側壁）３４とから一体的に形成されている。底壁３１は、奥壁３４の結合する一辺に対向する辺（以下、開口側辺と称する）に矩形状の切欠部３１ａを形成している。更に底壁３１は、左側側壁３２と右側側壁３３の近傍において、薄く細長い形状のくぼみ３１ｂ、３１ｃをそれぞれ形成している。加えて、底壁３１は、奥壁３４近傍において、側壁３２，３３にそれぞれ平行に延在する保持部３１ｆ、３１ｇを形成している。また、左側側壁３２の内面側には図の上下方向にリブ部３２ｂが突出するように設けられている。また、右側側壁３３の内面側にも同様のリブ部（図示省略）が設けられている。カバー部材２０の開閉時にカバー部材２０がこれらのリブ部において本体３０と当接することにより、カバー部材２０の開閉が確実となり、カバー部材２０を閉じたときにカバー部材２０ががたつくことを防止する。なお、底壁３１の開口側辺近傍は、わずかに高くなって段部３１ｄを形成している。
【００２１】
図４（ａ），（ｂ）に示すように、側壁３２，３３は、開口側辺に近い端部に袋孔３２ａ、３３ａを形成している。また、奥壁３４の上縁の両端には突き出るように軸支持部３４ｈ，３４ｉが設けられ、これらの軸支持部３４ｈ、３４ｉ間は切り欠かれて切り欠き上面３４ｆと切り欠き側面３４ｇとが形成されている。軸支持部３４ｈ、３４ｉの外方端面には袋孔３４ｂ（一方の図示）が形成されており、またその上端側はテーパ状に面取りされた切り欠き部３４ｄ，３４ｅが形成されている。なお、切り欠き側面３４ｇは奥壁３４から開口側辺に向かって張り出している。
【００２２】
次に、図３（ａ），（ｂ）及び、特に図５を参照して、カバー部材２０について説明する。カバー部材２０は、矩形状の上壁２１と、上壁２１に結合した２つの側壁２２，２３とからなる。上壁２１は、本体３０（図４（ａ））の開口側辺に向かい合う辺（開口側辺）に矩形状の切欠部２１ａを形成している。また、上壁２１の開口側辺の反対側の端部にはリブ部２４が直立して設けられている。
【００２３】
側壁２２，２３は、上壁２１の対向する二辺の近傍に結合しており、従って上壁２１は、側壁２２，２３より外方に延在する張り出し部２１ｃ、２１ｄを有している。段部となる張り出し部２１ｃ、２１ｄにおける、開口側辺と反対側の端部には、瘤状の支持部２１ｅ、２１ｆが形成されており、更に支持部２１ｅ、２１ｆには、互いに対向する短円筒状の軸部２１ｇ、２１ｈが本体とカバー部材との回動軸として形成されている。軸部２１ｇ、２１ｈの先端下面側はテーパー状となっている。なお、支持部２１ｅ、２１ｆは、付け根部２１ｉ、２１ｊにより上壁２１に連結され、付け根部２１ｉ，２１ｊには凹部２１ｋ、２１ｍが形成されている。
【００２４】
また、リブ部２４は開口側辺反対側の端部の一部に設けられており、リブ部２４の両端面と支持部２１ｅ、２１ｆとの間には、それぞれ本体３０の軸支持部３４ｈ，３４ｉが位置するように空間が形成されている。図３（ｂ）のように、リブ部２４の付け根部側の端面にはリブ面取り部２４ａが形成されている。
【００２５】
側壁２２，２３は、その下縁（図５では上縁）に互いに対向した細長状の保持部２２ａ、２３ａを形成している。更に側壁２２，２３は、開口側辺と反対側の端部に、付勢部材としての片持ちアーム２２ｂ、２３ｂを結合している。アーム２２ｂ、２３ｂの先端には、隆起部２２ｃ、２３ｃが凸状に形成されている。また側壁２２、２３は、開口側辺に近い端部近傍において、互いに離隔する方向に突出した凸部２２ｄ（図５）、２３ｄ（図３（ａ））を形成している。
【００２６】
図６は、カバー部材２０を閉じた状態で示す収納ケース１０の上面図であり、図７（ａ）は、図６の収納ケース１０をＶＩＩＡ−ＶＩＩＡ線で切断して矢印方向に見た断面図であり、図７（ｂ）は図６の収納ケース１０の前端近傍をＶＩＩＢ−ＶＩＩＢ線で切断した状態で保持部を概略的に見た斜視図（ｂ）であり、図８は、図６の収納ケース１０をＶＩＩＩ−ＶＩＩＩ線で切断して矢印方向に見た図であり、図９（ａ）は、図６の収納ケース１０をＩＸ−ＩＸ線で切断して矢印方向に見た断面図であり、図９（ｂ）は、カバー部材２０が開から閉に回動する状態を示す図９（ａ）と同様の図である。尚、図７，８においては本体３０の側壁３２周辺のみを示しているが、側壁３３側についても構成は同様である。
【００２７】
図７（ａ）に示すように、カバー部材２０を閉じた状態では、その側壁２２に形成された保持部２２ａは、本体３０のくぼみ３１ｂに当接するようになっている。又、収納ケース内に二点鎖線で示すように挿入されたミニディスクＭは、保持部２２ａと上壁２１との間に支持されるようになっている。細長の板状の保持部２２ａ（２３ａ）の上面がカートリッジを保持するカートリッジ保持部を構成し、保持部２２ａ（２３ａ）の下面がシート状部材（図１０，１１に示すインデックスカード）を保持する保持部を構成する。また、図７（ａ）に示すように、保持部２２ａ（２３ａ）の上面は、本体３０の底壁３１の内面３１ｅよりも突出している。また、側壁２２，２３の内側の図の下の隅部には第１の凸部２５ａ及び図の上の隅部には第２の凸部２５ｂがそれぞれ設けられており、ミニディスクＭの収納ケース内における図の横方向の位置決めを行うとともに、ミニディスクＭの側面と側壁２２，２３の内側面との間に隙間ＳＰを形成する。
【００２８】
図８に示すように、ミニディスクＭが収納ケース内に挿入された場合、その凹部Ｃ２内に、凸部である隆起部２２ｃが進入するようになっている。図８に示す断面においては、カバー部材２０に保持部３１ｆが当接して互いの間を密閉している。その理由は、カバー部材２０に隆起部２２ｃを設けたため、保持部３１ｆをカバー部材２０に形成すると型が複雑となってコストが上昇するからである。尚、図７，８から明らかであるが、カバー部材２０の張り出し部２１ｃと本体３０との間には、断面が矩形状の溝Ｇが形成されるようになっている。
【００２９】
また、図９（ａ）に示すように、カバー部材２０のリブ部２４は、その高さＲＨがミニディスクＭの厚さＭＴよりも大きくなっており、カバー部材２０が閉位置のときリブ部２４の先端２４ｂは本体３０の底壁３１の内面３１ｅに近接するようになっている。また、カバー部材２０が閉位置のときリブ部２４のリブ面取り部２４ａの下端部が本体３０の切り欠き側面３４ｇに接近するが、図９（ｂ）の方向ＢＢの逆方向に回動すると、リブ面取り部２４ａが本体３０の切り欠き上面３４ｆに当接して停止し、これによりカバー部材２０の開き角度が規制される。また、閉位置でリブ部２４と奥壁３４の内面との間に狭い隙間ＧＰが形成される。図９（ａ）に示すように、ミニディスクＭが収納ケース内に挿入された場合、その内方側の側面ＲＦはリブ部２４に当接し、それ以上内方（図の右方）に進入できない。
【００３０】
図７（ｂ）に示すように、ミニディスクの挿入がし易いように、保持部２２ａ（２３ａ）の前端は、斜面２２ｅを有し、斜面２２ｅの先端の高さは、本体３０の内面３１ｅよりも低くなっており、カートリッジ導入部が構成されている。
【００３１】
図１０は、本実施の形態にかかる収納ケース１０に使用可能なインデックスカードを示す斜視図であり、図１１はその変形例を示す斜視図である。図１０において、シート状部材であるインデックスカードＩＤは、１枚の矩形紙を折り曲げたものであり、細長い背表紙部ＩＤａと、平面部である広い記載部ＩＤｂとからなる。
【００３２】
図１に示すごとく本体３０とカバー部材２０とを組み立てる場合には、付け根部２１ｉ、２１ｊ（図５）を弾性変形させつつ、カバー部材２０の軸部２１ｇ、２１ｈ（図５）を本体３０の軸支持部３４ｈ，３４ｉの袋孔３４ｂ（図４（ａ））に嵌合させる。このようにすることにより、カバー部材２０は本体３０に対して、軸部２１ｇ、２１ｈ周りに回動自在となる。この組立に際し、軸部２１ｇ、２１ｈのテーパー状の先端と、軸支持部３４ｈ、３４ｉの各上端の切り欠き部３４ｄ，３４ｅとによって、本体３０にカバー部材２０を組み込み易くなる。
【００３３】
次に、収納ケース１０内にインデックスカードを収納する場合における、本実施の形態の動作について説明する。まず図２に示すように、本体３０に対してカバー部材２０を開いた位置へと回動させる。続いて、図１０に示すインデックスカードＩＤを、背表紙ＩＤａが本体３０の奥壁３４（図４（ａ））に対向するようにして挿入する。かかる状態から、カバー部材２０を図１に示す閉じた位置へと回動させれば、図９（ａ）のように奥壁３４とリブ部２４との間の狭い隙間ＧＰに背表紙ＩＤａが挟まれてインデックスカードＩＤの収納が完了する。カバー部材２０が閉じた状態では、カバー部材２０の凸部２２ｄ（図５）、２３ｄ（図３（ａ））が、本体３０の袋孔３２ａ、３３ａに係合しており、カバー部材２０は本体３０に対して不用意に回動することはない。一方、かかるインデックスカードを取り出そうとする場合、この逆の操作をすればよい。尚、凸部２２ｄ、２３ｄ及び袋孔３２ａ、３３ａがカバー部材２０が回動して閉じられると更に本体３０に対し回動することを防止するロック部材を構成する。
【００３４】
また、収納ケース１０内にインデックスカードを収納する場合、インデックスカードが図９（ｂ）のように本体３０に完全に収納されていなくても、リブ部２４がカバー部材２０とともに図９（ｂ）の回動方向ＢＢへ回動し、図の破線の位置に達すると、インデックスカードＩＤの背表紙ＩＤａを奥壁３４に向け押し、図の一点鎖線の位置に至ることにより、インデックスカードＩＤを図９（ａ）のように確実に収納することができる。このように、インデックスカードの装着が容易となり、完全に収納されていない場合でも、カバー部材２０の回動により自動的に収納できる。
【００３５】
以上の動作は、収納ケース１０にミニディスクＭが収納されているか否かに関わらず可能である。ミニディスクＭはカバー部材２０と共に回動するため、インデックスカードの出し入れを邪魔しないからである。尚、本体３０及びカバー部材２０は、透明性のある樹脂から形成されているので、インデックスカードＩＤの背表紙ＩＤａ及び記載部ＩＤｂに記載された文字を、ユーザーは収納ケース１０の外部から読みとることができる。この場合、図９（ａ）のようにカバー部材２０が閉位置にあると、リブ部２４と本体の奥壁３４との間の狭い隙間ＧＰに背表紙ＩＤａが位置するから、奥壁３４の内面に密着する。このため、インデックスカードの背表紙ＩＤａの表示情報が読み易くなるので、インデックスカードの視認性を改善することができる。しかも、背表紙ＩＤａがインデックスカードＩＤから直立して折り曲げられていない場合でも、奥壁３４の内面に自動的に密着するので、使用上便利である。
【００３６】
本実施の形態においては、インデックスカードＩＤを本体３０内に配置し、カバー部材２０を閉じることにより、図７（ａ）に示すように、かかるインデックスカードＩＤは、その側縁がカバー部材２０の保持部２２ａにより本体３０のくぼみ３１ｂに押しつけられて固定される。従って、収納ケース１０内にミニディスクが収納されていない場合でも、インデックスカードＩＤはしっかり固定され、不用意に収納ケース１０から開口ＯＰ（図１）を介して落下することはない。尚、保持部２２ａによりくぼみ３１ｂに押しつけられた際、インデックスカードＩＤの側縁が若干折れ曲がるが、くぼみ３１ｂは浅いためインデックスカードＩＤが破れることはない。更に、図９（ａ）のようにインデックスカードは、その平面部の記載部ＩＤｂに本体の奥壁３４近傍においてリブ２４の先端２４ｂが当接することにより、更に確実に固定される。また、カバー部材２０の保持部２２ａ及びリブ部２４の固定によりインデックスカードの浮き上がりやずれを確実に防止できる。
【００３７】
また、若干でも上述のようにインデックスカードが保持部２２ａにより折れ曲がることを嫌う場合には、図１１に示すようなインデックスカードＩＤ’を用いればよい。図１１に示すインデックスカードＩＤ’は、図１０の示すものと類似しているが、記載部ＩＤｂの両側縁に矩形状の切欠ＩＤｃを形成している点が異なっている。切欠ＩＤｃは、本体３０のくぼみ３１ｂとほぼ同じ形状を有しているため、インデックスカードＩＤ’を本体３０内に配置し、カバー部材２０を閉じることにより、切欠ＩＤｃ内にカバー部材２０の保持部２２ａが入り込むようになっている。従って、カバー部材２０を閉じても、インデックスカードＩＤ’は折れ曲がることなく、保持部２２ａに切欠ＩＤｃが引っかかるようになるため、収納ケース１０内にミニディスクが収納されていない場合でも、不用意に収納ケース１０から開口ＯＰを介して落下することはない。この場合、図７（ａ）のように、保持部２２ａの上面が本体３０の内面３１ｅよりも突出しているので、インデックスカードＩＤ’の切欠ＩＤｃが保持部２２ａにより引っかかり易くなり、インデックスカードＩＤ’の保持が確実となり、好ましい。また、インデックスカードＩＤ’は、切欠ＩＤｃの部分がないため、浮き上がり易くなるが、リブ部２４が奥壁３４近傍において固定するので、かかる浮き上がりを確実に防止できる。
【００３８】
次に、収納ケース１０内にミニディスクＭを収納する場合における、本実施の形態の動作について説明する。本実施の形態にかかる収納ケース１０においては、従来技術によるスリーブタイプと同様に、カバー部材２０を閉じた状態でミニディスクＭを出し入れ自在となっている。ミニディスクＭを収納ケースに挿入すると、保持部２２ａ（２３ａ）の先端部に図７（ｂ）のようにカートリッジ導入部としての斜面２２ｅがあるので、ミニディスクＭが収納ケース内にスムーズに導入され、しかも斜面２２ｅの導入側下端は本体３０の内面３１ｅよりも低いため、引っかかり感がなく、取り扱い易く好ましい。
【００３９】
また、ミニディスクＭを収納ケースに更に挿入すると、ミニディスクＭの凹部Ｃ１，Ｃ２にカバー部材２０の隆起部２２ｃ、２３ｃが進入して係合し、付勢部材としてのアーム２２ｂ、２３ｂの弾性力によりミニデスクＭを収納ケース内に確実に保持できる。そして、この係合時に、図９（ａ）のようにミニディスクＭの内方端がリブ部２４に近接するために収納中のミニディスクＭのがたつきを抑え、ミニディスクＭを更に確実に保持できる。
【００４０】
また、上述したように、ミニディスクＭが収納ケース１０内に挿入されていくと、その内方端はカバー部材２０のリブ部２４に当接し、それ以上内方に進入できない。ミニディスクＭを、その内方端が奥壁３４に当たるまで進入可能な構造とすると、かかる状態ではカバー部材２０が開かなくなる恐れがあり、また無理に開くことにより収納ケースを破損させる恐れがあるが、奥壁３４の直前にリブ部２４が位置するから、かかる問題を未然に防止できる。
【００４１】
また、ミニディスクＭが収納ケースに挿入される場合、図７（ａ）の側壁２２の内側の第１の凸部２５ａに、ミニディスクＭの側面の上端隅部ＭＲが接するとともに、両凸部２５ａ、２５ｂによりミニディスクＭの側面と側壁２２，２３の内側面との間に隙間ＳＰが形成されるため、たとえミニディスクＭが挿入方向に対し傾いたまま挿入されても、ミニディスクＭのシャッタ部材９０（図１２，図１３）の端部がカバー部材２０の側壁２２に当接してこの側壁部が削られて凹み等ができてしまうことはない。なお、第２の凸部２５ｂは、第１の凸部２５ａとともにミニディスクＭを案内し、また側壁の強度を増す。
【００４２】
また、カバー部材２０を閉じた状態でミニディスクＭが収納ケース１０に挿入されるとき、予め内部に配置されたインデックスカードＩＤが収納ケース１０の進入を阻止しないように、本体３０の開口側に形成された段部３１ｄが、インデックスカードＩＤが配置される底壁３１からカード厚さ分だけ高くなっている。また、保持部２２ａ(２３ａ）の上面が本体３０の内面３１ｅよりも突出し、この間に形成される隙間にインデックスカードＩＤが位置することにより、ミニディスクＭを出し入れしてもインデックスカードＩＤと擦れてしまうことはなく、ミニディスクＭの出し入れがし易くなり、取り扱いのよいものとなる。
【００４３】
カバー部材２０を閉じた状態で、ミニディスクＭを収納ケース１０から取り出す場合には、ユーザーが、中央切欠２１ａ、３１ａから露出したミニディスクＭを把持して引き出すようにすればよい。
【００４４】
なお、カバー部材２０を開いた状態で、ミニディスクＭを、カバー部材２０の下面に沿って挿入することもできる。かかる場合、ミニディスクＭの内方端がリブ部２４に当接し、かつその凹部Ｃ１，Ｃ２が、カバー部材２０の隆起部２２ｃ、２３ｃにそれぞれ係合し、ミニディスクＭがカバー部材２０に保持される。
【００４５】
本実施の形態においては更に、カバー部材２０を閉じた状態で、本体３０とカバー部材２０との間には、図７，８に示すように溝Ｇ（すなわち隙間）が形成されている。従って、この溝Ｇを用いることにより、たとえば特開平８−２９５３８５号に開示されているような、複数の収納ケースを収納する容器に、本実施の形態の収納ケース１０を収納することができる。
【００４６】
以上のように、本実施の形態の収納ケースによれば、カバー部材２０が閉じられた状態において、カバー部材２０に設けたリブ部２４の先端２４ｂが本体３０の底壁３１に近接するから、使用時にカバー部材２０と本体３０とを強く押さえてもリブ部２４が本体側と当接する。このため、カバー部材２０と本体３０とが殆ど変形せず、ミニディスクに接触しないので、ミニディスクや収納ケースに傷が付いてしまうことを防止できる。また、カバー部材の上壁２１の後端と本体の奥壁３４との間のクリアランスがたとえ大きくなっても、リブ部２４により両者の変形を防止できる。
【００４７】
以上、本発明を実施の形態を参照して説明してきたが、本発明は上記実施の形態に限定して解釈されるべきではなく、適宜変更・改良が可能であることはもちろんである。たとえば本発明は、ミニディスクに限らずＣＤや他のカートリッジを収納する収納ケースに適用可能である。
【００４８】
【発明の効果】
本発明によれば、インデックスカードを取り出しやすくかつその保持が確実で、カートリッジの出し入れ等の取り扱いに優れた収納ケースを実現する際に、外部から力が加わってもカートリッジや収納ケースに傷が付いてしまうことを防止できるとともにカバー部材の回動に支障が生じないカートリッジ用収納ケースを提供できる。また、インデックスカードの装着が容易であり、インデックスカードの視認性を改善したカートリッジ用収納ケースを提供できる。
【図面の簡単な説明】
【図１】ミニディスクを収納可能な本実施の形態にかかる収納ケースを示す斜視図であり、カバー部材を閉めた状態を示す図である。
【図２】ミニディスクを収納可能な本実施の形態にかかる収納ケースを示す斜視図であり、カバー部材を開けた状態を示す図である。
【図３】カバー部材２０のみを示す斜視図（ａ）、及び図３（ａ）のＩＩＩＢ−ＩＩＩＢ線で切断して矢印方向に見た断面図である。
【図４】本体３０のみを示す斜視図（ａ）、及び図４（ａ）のＩＶＢ−ＩＶＢ線で切断した状態で矢印方向に見た斜視図（ｂ）である。
【図５】カバー部材２０を裏返しにしてその下面を見た斜視図である。
【図６】カバー部材２０を閉じた状態で示す収納ケース１０の上面図である。
【図７】図６の収納ケース１０をＶＩＩＡ−ＶＩＩＡ線で切断して矢印方向に見た断面図（ａ）、及び図６の収納ケース１０の前端近傍をＶＩＩＢ−ＶＩＩＢ線で切断した状態で保持部を概略的に見た斜視図（ｂ）である。
【図８】図６の収納ケース１０をＶＩＩＩ−ＶＩＩＩ線で切断して矢印方向に見た断面図である。
【図９】図６の収納ケース１０をＩＸ−ＩＸ線で切断して矢印方向に見た断面図（ａ）、及びカバー部材２０が開から閉に回動する状態を示す図９（ａ）と同様の断面図（ｂ）である。
【図１０】本実施の形態にかかる収納ケース１０に使用可能なインデックスカードを示す斜視図である。
【図１１】本実施の形態にかかる収納ケース１０に使用可能なインデックスカードの変形例を示す斜視図である。
【図１２】ミニディスクＭの一例の上面を示す図である。
【図１３】ミニディスクＭの一例の下面を示す図である。
【図１４】従来例の収納ケースの断面図である。
【符号の説明】
１０              収納ケース
２０              カバー部材
２１ｇ、２１ｈ    軸部（回動軸）
２２ａ、２３ａ    保持部（カートリッジ保持部）
２２ｅ            斜面（カートリッジ導入部）
２２ｂ、２３ｂ    アーム（付勢部材）
２２ｃ、２３ｃ    アームの隆起部（凸部）
２２ｄ、２３ｄ    凸部（回動部）
２４              リブ部
２４ａ            リブ面取り部
２４ｂ            リブ部２４の先端部
２５ａ            第１の凸部
２５ｂ            第２の凸部
３０              本体
３１ｂ            くぼみ（凹部）
３１ｅ            本体の内面
３２ｂ            リブ部（突出部）
３４ｂ            袋孔
３４ｆ            本体３０の切り欠き上面
ＩＤ、ＩＤ’      インデックスカード
Ｍ                ミニディスク（カートリッジ）
Ｃ１，Ｃ２        ミニディスク側面の凹部
ＭＴ              ミニディスクの厚さ
ＲＨ              リブ部２４の高さ
ＧＰ              リブ部２４と奥壁３４との間の隙間
【図１】
0003748001.tif 000002
【図２】
0003748001.tif 000003
【図３】
0003748001.tif 000004
【図４】
0003748001.tif 000005
【図５】
0003748001.tif 000006
【図６】
0003748001.tif 000007
【図７】
0003748001.tif 000008
【図８】
0003748001.tif 000009
【図９】
0003748001.tif 000010
【図１０】
0003748001.tif 000011
【図１１】
0003748001.tif 000012
【図１２】
0003748001.tif 000013
【図１３】
0003748001.tif 000014
【図１４】
0003748001.tif 000015